(57)【要約】【課題】花粉、室内塵、皮屑、真菌などのアレルギー誘発物質、ウイルス、病原菌などの有害物質の処理に好適に用いられる二酸化塩素含有組成物、二酸化塩素含有シート、二酸化塩素含有マスク、およびそれらを用いた有害物質の処理方法を提供する。【解決手段】本二酸化塩素含有組成物は、二酸化塩素と、亜塩素酸塩と、水酸基を複数有する脂肪族化合物と、それらを溶存する水分と、を含む。本二酸化塩素含有シートは、上記の二酸化塩素含有組成物が通気性シートに保持されて形成されたものである。本有害物質の処理方法は、二酸化塩素含有組成物または二酸化塩素含有シートまたは二酸化塩素含有マスクと有害物質とを接触させるものである。【選択図】なし【特許請求の範囲】
【請求項１】
二酸化塩素と、亜塩素酸塩と、水酸基を複数有する脂肪族化合物と、それらを溶存する水分と、を含む二酸化塩素含有組成物。
【請求項２】
請求項１に記載の二酸化塩素含有組成物が通気性シートに保持されて形成された二酸化塩素含有シート。
【請求項３】
請求項２に記載の二酸化塩素含有シートを含む二酸化塩素含有マスク。
【請求項４】
請求項１に記載の二酸化塩素含有組成物と有害物質とを接触させる有害物質の処理方法。
【請求項５】
請求項２に記載の二酸化塩素含有シートと有害物質とを接触させる有害物質の処理方法。
【請求項６】
請求項３に記載の二酸化塩素含有マスクと有害物質とを接触させる有害物質の処理方法。
【発明の詳細な説明】
【技術分野】
【０００１】
本発明は、花粉、室内塵、皮屑（ひせつ）、真菌などのアレルギー誘発物質、ウイルス、病原菌などの有害物質の処理に好適に用いられる二酸化塩素含有組成物、二酸化塩素含有シート、二酸化塩素含有マスク、およびそれらを用いた有害物質の処理方法に関する。
【背景技術】
【０００２】
二酸化塩素（ＣｌＯ2）は、強い酸化力を有し、環境浄化、室内の消臭および殺菌などに好適に用いられる。これらの用途に向けて、二酸化塩素を持続的に発生させる方法が提案されている。
【０００３】
たとえば、特開平１１−２７８８０８号公報（特許文献１）は、溶存二酸化塩素ガス、亜塩素酸塩およびｐＨ調整剤を構成成分に有する純粋二酸化塩素液剤、純粋二酸化塩素液剤および高吸水性樹脂を含有するゲル状組成物、純粋二酸化塩素液剤および泡剤を含有する発泡性組成物、ならびに純粋二酸化塩素液剤、ゲル状組成物および発泡性組成物を入れるための容器を提案する。
【０００４】
また、特開２００５−２９４３０号公報（特許文献２）は、亜塩素酸塩水溶液に、有機酸または無機酸と、ガス発生調節剤と、吸水性樹脂とを添加し、ゲル化させて得られるゲル状組成物から二酸化塩素ガスを持続的に発生させることを特徴とする二酸化塩素ガスの発生方法を提案する。
【先行技術文献】
【特許文献】
【０００５】
【特許文献１】特開平１１−２７８８０８号公報
【特許文献２】特開２００５−２９４３０号公報
【発明の概要】
【発明が解決しようとする課題】
【０００６】
上記の特許文献１および２の方法によれば、ゲル状組成物から二酸化塩素が持続的に放出されることが報告されているが、放出される二酸化塩素ガスは強い刺激臭を有しているため使用方法などに制約があった。
【０００７】
また、上記の特許文献１および２においては、放出させた二酸化塩素ガスは、環境浄化に関して、消臭、殺菌および漂白などの用途に適用されることが報告されているが、花粉、室内塵、皮屑、真菌などのアレルギー誘発物質、ウイルス、病原菌などの有害物質の飛散および拡散を防止したり、これらの有害物質の活性を抑制することについては、いまだ検討されていない。
【０００８】
本発明は、上記の問題点を解決し、花粉、室内塵、皮屑、真菌などのアレルギー誘発物質、ウイルス、病原菌などの有害物質の処理に好適に用いられる二酸化塩素含有組成物、二酸化塩素含有シート、二酸化塩素含有マスク、およびそれらを用いた有害物質の処理方法を提供することを目的とする。
【課題を解決するための手段】
【０００９】
本発明の一実施形態は、二酸化塩素と、亜塩素酸塩と、水酸基を複数有する脂肪族化合物と、それらを溶存する水分と、を含む二酸化塩素含有組成物である。また、本発明の別の実施形態は、上記の二酸化塩素含有組成物が通気性シートに塗布されて形成された二酸化塩素含有シートである。また、本発明のさらに別の実施形態は、上記の二酸化塩素含有シートを含む二酸化塩素含有マスクである。また、本発明のさらに別の実施形態は、上記の二酸化塩素含有組成物と有害物質とを接触させる有害物質の処理方法である。また、本発明のさらに別の実施形態は、上記の二酸化塩素含有シートと有害物質とを接触させる有害物質の処理方法である。また、本発明のさらに別の実施形態は、上記の二酸化塩素含有マスクと有害物質とを接触させる有害物質の処理方法である。
【発明の効果】
【００１０】
本発明によれば、花粉、室内塵、皮屑、真菌などのアレルギー誘発物質、ウイルス、病原菌などの有害物質の処理に好適に用いられる二酸化塩素含有組成物、二酸化塩素含有シート、二酸化塩素含有マスク、およびそれらを用いた有害物質の処理方法を提供することができる。
【図面の簡単な説明】
【００１１】
【図１】二酸化塩素含有組成物による処理前のスギの実を示す写真である。
【図２】二酸化塩素含有組成物による処理後のスギの実を示す写真である。
【図３】二酸化塩素含有組成物による処理前のスギ花粉を示す走査型電子顕微鏡写真である。
【図４】二酸化塩素含有組成物による処理後のスギ花粉を示す走査型電子顕微鏡写真である。
【図５】二酸化塩素含有組成物による処理前および処理後のヒノキ花粉を示す写真である。
【図６】二酸化塩素含有組成物による処理前のヒノキ花粉を示す走査型電子顕微鏡写真である。
【図７】二酸化塩素含有組成物による処理後のヒノキ花粉を示す走査型電子顕微鏡写真である。
【発明を実施するための形態】
【００１２】
［二酸化塩素含有組成物］
本発明の一実施形態である二酸化塩素含有組成物は、二酸化塩素と、亜塩素酸塩と、水酸基を複数有する脂肪族化合物と、それらを溶存する水分と、を含む。本実施形態の二酸化塩素含有組成物は、水分に溶存する二酸化塩素と水分に溶存する亜塩素酸塩とが共存するため水分に溶存する二酸化塩素の濃度を安定化させることが可能となり、また、水分に溶存する二酸化塩素と水分に溶存する水酸基を複数有する脂肪族化合物とが共存するためアレルギー誘発物質、ウイルス、病原菌などの有害誘発物質の飛散および拡散を防止するとともに上記有害物質の活性を抑制することが可能になる。
【００１３】
（二酸化塩素）
本実施形態の二酸化塩素含有組成物は二酸化塩素を含む。かかる二酸化塩素は、水分に溶存しているため、有害物質と接触することにより、有害物質を効率的に処理することができる。
【００１４】
二酸化塩素含有組成物中の水分に溶存する二酸化塩素の質量濃度（溶液である組成物の質量に対する溶質である二酸化塩素の質量として算出される濃度をいう、以下同じ）は、特に制限はないが、有害物質を効率的に処理するとともに二酸化塩素の刺激臭を抑止する観点から、５ｐｐｍ以上５０００ｐｐｍ以下が好ましく、１０ｐｐｍ以上１０００ｐｐｍ以下がより好ましい。
【００１５】
また、水分に溶存する二酸化塩素、すなわち二酸化塩素水溶液を調製する方法は、水に二酸化塩素ガスを吹き込むことにより溶解する方法、亜塩素酸塩水溶液に無機酸、有機酸、さらし粉、イソシアヌル酸類、水素塩などの活性化剤を添加する方法などが挙げられる。低コストで効率よく二酸化塩素水溶液を得る観点から、亜塩素酸塩水溶液に上記の活性化剤を添加する方法が好ましい。二酸化塩素の濃度を安定化させる観点から、活性化剤は無機酸であることが好ましく、塩酸であることがより好ましい。亜塩素酸塩および亜塩素酸塩水溶液については、後述する。
【００１６】
ここで、活性化剤として用いられる無機酸としては、塩酸、硫酸、硝酸、リン酸などが挙げられる。無機酸においては、硫酸は水分中で残留および濃縮しやすい問題があり、リン酸および硝酸は安全性に問題があるため、かかる問題の少ない塩酸が好適に用いられる。活性化剤として用いられる有機酸としては、クエン酸、リンゴ酸、酢酸、ギ酸、乳酸、酒石酸、シュウ酸などのカルボン酸類などが挙げられる。有機酸においては、安全性が高い観点から、食品添加物として使用される有機酸が好適に用いられる。活性化剤として用いられるさらし粉としては、有効塩素濃度が３３質量％〜３８質量％程度の通常のさらし粉、有効塩素濃度が６０質量％〜７０質量％程度の高度さらし粉のいずれを用いてもよい。活性化剤として用いられるイソシアヌル酸類としては、イソシアヌル酸およびその誘導体ならびにそれらの金属塩であれば特に制限はないが、亜塩素酸塩との反応性が高い観点から、トリクロロイソシアヌル酸、ジクロロイソシアヌル酸などの塩素化イソシアヌル酸、ジクロロイソシアヌル酸ナトリウム、ジクロロイソシアヌル酸カリウムなどの塩素化イソシアヌル酸塩などが好適に挙げられる。水素塩とは、多価の酸のＨ+を陽イオンで置換した塩のうち、なおＨ+を残しているものをいう。活性剤として用いられる水素塩は、特に限定されず、たとえば、硫酸水素ナトリウム（ＮａＨＳＯ4）、硫酸水素カリウム（ＫＨＳＯ4）、リン酸二水素ナトリウム（ＮａＨ2ＰＯ4）、リン酸水素二ナトリウム（Ｎａ2ＨＰＯ4）、リン酸二水素カリウム（ＫＨ2ＰＯ4）、リン酸水素二カリウム（Ｋ2ＨＰＯ4）、炭酸水素ナトリウム（ＮａＨＣＯ3）、炭酸水素カリウム（ＫＨＣＯ3）などが挙げられる。
【００１７】
（亜塩素酸塩）
本実施形態の二酸化塩素含有組成物は、亜塩素酸塩を含む。かかる亜塩素酸塩は、水分に溶存しているため、水分に溶存している二酸化塩素の濃度を安定化させて、二酸化塩素による有害物質の処理を安定化させることができる。
【００１８】
水分に溶存する亜塩素酸塩の種類は、特に制限はないが、安全で入手し易い観点から、亜塩素酸ナトリウム、亜塩素酸カリウムなどが好ましく、亜塩素酸ナトリウムがより好ましい。二酸化塩素含有組成物を調製する際の亜塩素酸塩の形態は、特に制限はないが、安全性が高い観点から、毒劇物に該当しない２５質量％以下の亜塩素酸塩水溶液を用いることが好ましい。
【００１９】
二酸化塩素含有組成物中の水分に溶存する亜塩素酸塩の質量濃度（溶液である組成物の質量に対する溶質である亜塩素酸塩の質量として算出される濃度をいう、以下同じ）は、特に制限はないが、水分に溶存する二酸化塩素を安定化させるとともに二酸化塩素の活性を維持する観点から、１００ｐｐｍ以上２５０００ｐｐｍ以下が好ましく、５００ｐｐｍ以上１００００ｐｐｍ以下がより好ましい。また、二酸化塩素含有組成物において、水分に溶存する二酸化塩素の質量濃度と水分に溶存する亜塩素酸塩の質量濃度との比は、水分に溶存する二酸化塩素を安定化させるとともに二酸化塩素の活性を維持する観点から、（二酸化塩素の質量濃度）：（亜塩素酸塩の質量濃度）で、１：１〜１００が好ましく、１：５〜５０がより好ましい。
【００２０】
水分に溶存する亜塩素酸塩、すなわち亜塩素酸塩水溶液の調製には、安全で取り扱い性が高い観点から、２５質量％以下の亜塩素酸水溶液が好適に用いられる。
【００２１】
（水酸基を複数有する脂肪族化合物）
本実施形態の二酸化塩素含有組成物は、水分に溶存する水酸基を複数有する脂肪族化合物を含む。かかる水酸基を複数有する脂肪族化合物は、水分に溶存することにより、水分に溶存する二酸化塩素と共存するため、有害物質に二酸化塩素が接触する際に有害物質への二酸化塩素の付着性および浸透性を高めて、有害物質の飛散および拡散を防止するとともに有害物質の活性を抑制することができる。
【００２２】
水分に溶存する水酸基を複数有する脂肪族化合物は、特に制限はないが、水分への溶解性が高い観点から、グリセリン、ポリエチレングリコールなどが好ましい。
【００２３】
二酸化塩素含有組成物中の水分に溶存する水酸基を複数有する脂肪族化合物の質量濃度（溶液である組成物の質量に対する溶質である水酸基を複数有する脂肪族化合物の質量として算出される濃度をいう、以下同じ）は、特に制限はないが、有害物質への二酸化塩素の添着性および浸透性を高める観点から、２０００ｐｐｍ以上１５００００ｐｐｍ以下が好ましく、４０００ｐｐｍ以上７５０００ｐｐｍ以下がより好ましい。また、二酸化塩素含有組成物において、水分に溶存する二酸化塩素の質量濃度と水分に溶存する水酸基を複数有する脂肪族化合物の質量濃度との比は、有害物質への二酸化塩素の付着性および浸透性を高める観点から、（二酸化塩素の質量濃度）：（水酸基を複数有する脂肪族化合物の質量濃度）で、１：１０〜２５００が好ましく、１：５０〜７５０がより好ましい。
【００２４】
（水分）
本実施形態の二酸化塩素含有組成物は、二酸化塩素、亜塩素酸塩、および水酸基を複数有する脂肪族化合物を溶存するための水分を含む。かかる水分に、二酸化塩素、亜塩素酸塩、および水酸基を複数有する脂肪族化合物が溶存して共存しているため、本実施形態の二酸化塩素含有組成物は、有害物質と接触することにより、有害物質の飛散および拡散を防止するとともに有害物質の活性を抑制することができる。
【００２５】
水分は、特に制限はないが、二酸化塩素、亜塩素酸塩、および水酸基を複数有する脂肪族化合物の組成分以外の不純物を低減する観点から、イオン交換水、蒸留水、純水などが好ましい。
【００２６】
［二酸化塩素含有シート］
本発明の別の実施形態である二酸化塩素含有シートは、上記実施形態の二酸化塩素含有組成物が通気性シートに保持されて形成されたものである。本実施形態の二酸化塩素含有シートは、二酸化塩素含有組成物を通気性シートに保持することにより、二酸化塩素含有組成物の表面積が大きくなり、二酸化塩素含有物と有害物質との接触面積が大きくなるため、効率的に、有害物質の飛散および拡散を防止するとともに有害物質の活性を抑制することができる。
【００２７】
二酸化塩素含有シートにおける通気シートは、その少なくとも表面に二酸化塩素含有物を保持することができる通気性シートであれば特に制限はないが、多くの二酸化塩素含有物を広い表面積に亘って保持する観点から、多孔質シートであることが好ましく、織布、不織布、多孔質樹脂シートなどが好適に挙げられる。また、通気シートは、衣類またはその一部であってもよい。
【００２８】
二酸化塩素含有シートにおいて、二酸化塩素含有組成物を通気性シートに保持させる方法は、特に制限はないが、簡便にかつ効率よく二酸化塩素含有組成物を保持させる観点から、二酸化塩素組成物を通気性シートに塗布する方法、二酸化塩素組成物を通気性シートに含浸する方法などが好ましい。塗布する方法には、刷毛などで塗布する方法、スプレーなどで吹き付け塗布する方法など挙げられる。含浸する方法には、二酸化塩素組成物中に通気性シートを浸漬する方法などが挙げられる。
【００２９】
［二酸化塩素含有マスク］
本発明のさらに別の実施形態である二酸化塩素含有マスクは、上記実施形態の二酸化塩素含有シートを含む。本実施形態の二酸化塩素含有マスクは、通気性シートに二酸化塩素含有組成物が保持された二酸化塩素含有シートを含むことにより、二酸化塩素含有組成物の表面積が大きくなり、二酸化塩素含有物と有害物質との接触面積が大きくなるため、効率的に、有害物質の飛散および拡散を防止するとともに有害物質の活性を抑制することができる。
【００３０】
本実施形態の二酸化塩素含有マスクは、マスクの通気性シート部分が二酸化塩素含有組成物が塗布または散布されることにより二酸化塩素含有シートとなっているものであってもよく、マスクの通気性シート部分に二酸化塩素含有シートが保持されているものであってもよい。
【００３１】
［有害物質の処理方法］
本発明のさらに別の実施形態である有害物質の処理方法は、上記の実施形態の二酸化塩素含有組成物または二酸化塩素含有シートまたは二酸化塩素含有マスクと有害物質とを接触させる方法である。本実施形態の有害物質の処理方法は、二酸化塩素含有組成物または二酸化塩素含有シートと有害物質とを接触させることにより、有害物質の飛散および拡散を防止するとともに有害物質の活性を抑制することができる。
【００３２】
ここで、有害物質とは、アレルギー誘発物質、ウイルス、病原菌などの人体に有害な物質をいう。また、アレルギーとは免疫反応が特定の抗原に対して過剰に起こることをいう。アレルギー誘発物質（アレルゲン）とは、アレルギー疾患を持っている人の抗体と特異的に反応させる抗原またはその抗原を含む物質をいい、すなわちアレルギー疾患を持っている人にアレルギーを誘発させる物質をいう。アレルギー誘発物質としては、吸入性アレルゲンである、花粉（スギ科花粉、ヒノキ科花粉、イネ科花粉、キク科花粉など）、室内塵（ハウスダスト、ダニの死骸および糞など）、皮屑（フケ、特にペットのフケなど）、真菌（カビなど）などが挙げられる。
【００３３】
また、ウイルスとは、他の生物の細胞を利用して、自己を複製させることのできる微小な構造体をいい、タンパク質の殻とその内部に入っている核酸からなる。ウイルスとしては、ロタウイルス、風疹ウイルス、インフルエンザウイルス、肝炎ウイルス、ＨＩＶ（ヒト免疫不全ウイルス）などが挙げられる。また、病原菌とは、病気の原因となる細菌をいい、Ｏ−１５７などの腸管出血性大腸菌、結核菌、ＭＲＳＡ（メチシリン耐性黄色ブドウ球菌）などが挙げられる。
【００３４】
本実施形態の有害物質の処理方法においては、二酸化塩素含有組成物または二酸化塩素含有シートまたは二酸化塩素含有マスクと有害物質とを接触させることにより、二酸化塩素含有組成物または二酸化塩素含有シートまたは二酸化塩素含有マスクに含まれる水分に溶存した二酸化塩素および水酸基を複数有する脂肪族化合物の液体状またはミスト状の複合体が有害物質の表面に付着し、場合によりその複合体が有害物質の表面層に浸透して、有害物質の飛散および拡散を防止するとともに表面物質の活性を抑制することにより、効率よく有害物質の活性を抑制または除去する。
【００３５】
有害物質の処理方法は、二酸化塩素含有組成物と有害物質とを接触させる方法、二酸化塩素含有シートと有害物質とを接触させる方法、二酸化塩素含有マスクと有害物質とを接触させる方法などがある。以下、それぞれの方法について具体的に説明する。
【００３６】
（二酸化塩素含有組成物と有害物質とを接触させる方法）
二酸化塩素含有組成物と有害物質とを接触させる方法には、特に制限はなく、たとえば、有害物質または有害物質を含む物質に二酸化塩素含有組成物を塗布または散布する方法、有害物質を含む空間内に二酸化塩素含有組成物を散布する方法などが挙げられる。
【００３７】
有害物質または有害物質を含む物質に二酸化塩素含有組成物を塗布または散布する方法としては、たとえば、有害物質がスギ花粉、ヒノキ花粉などの花粉である場合、スギ、ヒノキなどの実に、二酸化塩素含有組成物を塗布または散布することにより、スギ、ヒノキなどの実の表面上に二酸化塩素含有組成物を付着させて、スギ、ヒノキなどの実から花粉が飛散および拡散するのを防止するとともに花粉の活性を抑制することができる。
【００３８】
また、有害物質を含む空間内に二酸化塩素含有組成物を散布する方法としては、たとえば、有害物質がスギ、ヒノキなどの花粉である場合、花粉の飛散または拡散が始まったスギ、ヒノキなどの林の上空から、それらの林に向けて二酸化塩素含有組成物を散布することにより、空中に飛散するスギ、ヒノキなどの花粉の表面上に二酸化塩素含有組成物を付着させて、花粉の飛散および拡散を抑制するとともに花粉の活性を抑制することができる。たとえば、有害物質がウイルスおよび／または病原菌である場合は、ウイルスおよび／または病原菌が飛散または拡散している室内において、二酸化塩素含有組成物を塗布または散布することにより、ウイルスおよび／または病原菌の表面上に二酸化塩素含有組成物を付着させて、ウイルスおよび／または病原菌が飛散および拡散するのを防止または抑制するとともにウイルスおよび／または病原菌の活性を抑制することができる。また、災害時における現場および／または避難場所などに、二酸化塩素含有組成物を塗布または散布することにより、ウイルス、病原菌などの拡散を抑制することにより、それら場所の衛生環境を良好に維持することができる。
【００３９】
（二酸化塩素含有シートと有害物質とを接触させる方法）
二酸化塩素含有シートと有害物質とを接触させる方法には、特に制限はなく、有害物質を含む空間内に二酸化塩素含有シートを配置する方法などが挙げられる。たとえば、有害物質がウイルスおよび／または病原菌である場合は、ウイルスおよび／または病原菌が飛散または拡散している室内において、二酸化塩素含有シートを配置したり、または空調設備のフィルターに二酸化塩素含有シートを配置して空調することにより、室内のウイルスおよび／または病原菌が口腔内に飛散および拡散するのを防止するとともにウイルスおよび／または病原菌の活性を抑制することができる。また、病人および／または医師の衣類または衣類の一部に二酸化塩素含有組成物を塗布または散布することにより二酸化塩素含有シートを形成しこれを保持することにより、ウイルスおよび／または病原菌の活性を抑制することができる。
【００４０】
（二酸化塩素含有マスクと有害物質とを接触させる方法）
二酸化塩素含有マスクと有害物質とを接触させる方法には、特に制限はなく、有害物質を含む空間内に二酸化塩素含有マスクを装着する方法などが挙げられる。たとえば、有害物質がスギ、ヒノキなどの花粉である場合には、それらの花粉が飛散および拡散している屋外に、二酸化塩素含有マスクを装着して外出することにより、空中に飛散するスギ、ヒノキなどの花粉を二酸化塩素含有マスクに付着させて、空中の花粉が口腔内に飛散および拡散するのを防止するとともに花粉の活性を抑制することができる。また、有害物質がウイルスおよび／または病原菌である場合は、ウイルスおよび／または病原菌が飛散または拡散している室内に、二酸化塩素含有マスクを装着して入室することにより、室内のウイルスおよび／または病原菌が口腔内に飛散および拡散するのを防止するとともにウイルスおよび／または病原菌の活性を抑制することができる。
【実施例】
【００４１】
［実施例Ａ］
１．二酸化塩素含有組成物の調製
１６質量％の亜塩素酸ナトリウム（ＮａＣｌＯ2）水溶液に９質量％の塩酸（ＨＣｌ）水溶液を添加することにより、以下の化学反応式（１）
５ＮａＣｌＯ2 ＋ ４ＨＣｌ → ４ＣｌＯ2 ＋ ５ＮａＣｌ ＋ ２Ｈ2Ｏ    （１）
に示す反応をさせて、３０００ｐｐｍの二酸化塩素（ＣｌＯ2）水溶液原液を作製した。なお、二酸化塩素は大気中で１０体積％より高濃度になると爆発の危険性があるため、大気圧より高い加圧雰囲気（具体的には５〜６ｋｇｆ／ｃｍ2（４９０〜５８８ｋＰａ））中で、二酸化塩素水溶液原液を作製した後、以下の所定濃度の水溶液へ希釈した。
【００４２】
例Ａ１の二酸化塩素含有組成物は、容量５００ｍｌ（ミリリットル）のプラスチック容器内で、上記の原液を希釈して得られた２０ｐｐｍの二酸化塩素（ＣｌＯ2）水溶液４９６ｇに２５質量％の亜塩素酸ナトリウム（ＮａＣｌＯ2）水溶液１．５ｇを添加した後ねじ蓋を閉めて容器を左右に振って混合し、ねじ蓋を開けてさらに純度が９８．５質量％のグリセリン２．５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：グリセリン＝１９．８４：７５０：４９２５＝１：３７．８０：２４８．３であった。結果を表１にまとめた。
【００４３】
例Ａ２の二酸化塩素含有組成物は、容量５００ｍｌのプラスチック容器内で、上記の原液を希釈して得られた５０ｐｐｍの二酸化塩素（ＣｌＯ2）水溶液４８２ｇに２５質量％の亜塩素酸ナトリウム（ＮａＣｌＯ2）水溶液３ｇを添加した後ねじ蓋を閉めて容器を左右に振って混合し、ねじ蓋を開けてさらに純度が９８．５質量％のグリセリン１５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：グリセリン＝４８．２：１５００：２９５５０＝１：３１．１２：６１３．１であった。結果を表１にまとめた。
【００４４】
例Ａ３の二酸化塩素含有組成物は、容量５００ｍｌのプラスチック容器内で、上記の原液を希釈して得られた１００ｐｐｍの二酸化塩素（ＣｌＯ2）水溶液４８２ｇに２５質量％の亜塩素酸ナトリウム（ＮａＣｌＯ2）水溶液３ｇを添加した後ねじ蓋を閉めて容器を左右に振って混合し、ねじ蓋を開けてさらに純度が９８．５質量％のグリセリン１５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：グリセリン＝９６．４：１５００：２９５５０＝１：１５．５６：３０６．５であった。結果を表１にまとめた。
【００４５】
例Ａ４の二酸化塩素含有組成物は、容量５００ｍｌのプラスチック容器内で、上記の原液を希釈して得られた２００ｐｐｍの二酸化塩素（ＣｌＯ2）水溶液４７１ｇに２５質量％の亜塩素酸ナトリウム（ＮａＣｌＯ2）水溶液４ｇを添加した後ねじ蓋を閉めて容器を左右に振って混合し、ねじ蓋を開けてさらに純度が９８．５質量％のグリセリン２５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：グリセリン＝１８８．４：２０００：４９２５０＝１：１０．６２：２６１．４であった。結果を表１にまとめた。
【００４６】
例Ａ５の二酸化塩素含有組成物は、容量５００ｍｌのプラスチック容器内で、上記の原液を希釈して得られた５００ｐｐｍの二酸化塩素（ＣｌＯ2）水溶液４６６ｇに２５質量％の亜塩素酸ナトリウム（ＮａＣｌＯ2）水溶液９ｇを添加した後ねじ蓋を閉めて容器を左右に振って混合し、ねじ蓋を開けてさらに純度が９８．５質量％のグリセリン２５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：グリセリン＝４６６：４５００：４９２５０＝１：９．６５７：１０５．７であった。結果を表１にまとめた。
【００４７】
例Ａ６の二酸化塩素含有組成物は、容量５００ｍｌのプラスチック容器内で、上記の原液を希釈して得られた８００ｐｐｍの二酸化塩素（ＣｌＯ2）水溶液４６５ｇに２５質量％の亜塩素酸ナトリウム（ＮａＣｌＯ2）水溶液１０ｇを添加した後ねじ蓋を閉めて容器を左右に振って混合し、ねじ蓋を開けてさらに純度が９８．５質量％のグリセリン２５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：グリセリン＝７４４：５０００：４９２５０＝１：６．７２０：６６．２０であった。結果を表１にまとめた。
【００４８】
例Ａ７の二酸化塩素含有組成物は、容量５００ｍｌのプラスチック容器内で、上記の原液を希釈して得られた１００ｐｐｍの二酸化塩素（ＣｌＯ2）水溶液４８２ｇに２５質量％の亜塩素酸ナトリウム（ＮａＣｌＯ2）水溶液３ｇを添加した後ねじ蓋を閉めて容器を左右に振って混合し、ねじ蓋を開けてさらに分子量が４００のポリエチレングリコール（ＰＥＧ４００）１５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：ＰＥＧ４００＝９６．４：１５００：２９５５０＝１：１５．５６：３０６．５であった。結果を表１にまとめた。
【００４９】
例Ａ８の二酸化塩素含有組成物は、容量５００ｍｌのプラスチック容器内で、上記の原液を希釈して得られた２００ｐｐｍの二酸化塩素（ＣｌＯ2）水溶液４７１ｇに２５質量％の亜塩素酸ナトリウム（ＮａＣｌＯ2）水溶液４ｇを添加した後ねじ蓋を閉めて容器を左右に振って混合し、ねじ蓋を開けてさらに分子量が４００のポリエチレングリコール（ＰＥＧ４００）２５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：ＰＥＧ４００＝１８８．４：２０００：４９２５０＝１：１０．６２：２６１．４であった。結果を表１にまとめた。
【００５０】
例Ａ９の二酸化塩素含有組成物は、容量５００ｍｌのプラスチック容器内で、上記の原液を希釈して得られた５００ｐｐｍの二酸化塩素（ＣｌＯ2）水溶液４６６ｇに２５質量％の亜塩素酸ナトリウム（ＮａＣｌＯ2）水溶液９ｇを添加した後ねじ蓋を閉めて容器を左右に振って混合し、ねじ蓋を開けてさらに分子量が４００のポリエチレングリコール（ＰＥＧ４００）２５ｇを添加した後再度ねじ蓋を閉めて容器を左右に振って混合することにより得た。得られた二酸化塩素含有組成物中の各成分の質量濃度の理論値は、ＣｌＯ2：ＮａＣｌＯ2：ＰＥＧ４００＝４６６：４５００：４９２５０＝１：９．６５７：１０５．７であった。結果を表１にまとめた。
【００５１】
２．発生二酸化塩素の測定
上記の例Ａ１〜Ａ９の二酸化塩素含有組成物のそれぞれを、２０℃の雰囲気温度中で容量５０ｌ（リットル）のポリ容器（底内径３３ｃｍ、蓋内径４０ｃｍ、高さ４８ｃｍ）内にポリエチレン袋が配置された容器内に、１回当たり０．７６ｇを５回（合計３．８ｇ）スプレー散布して１分経過後に、容器内に発生した二酸化塩素の質量濃度を北川式検知管で測定した。例Ａ１においては１ｐｐｍ、例Ａ２においては３ｐｐｍ、例Ａ３においては５ｐｐｍ、例Ａ４においては１０ｐｐｍ、例Ａ５においては１８ｐｐｍ、例Ａ６においては２８ｐｐｍ、例Ａ７においては４．５ｐｐｍ、例Ａ８においては１０ｐｐｍ、例Ａ９においては１７ｐｐｍであった。結果を表１にまとめた。
【００５２】
【表１】
2014024733.tif 000002
【００５３】
表１を参照して、例Ａ１〜Ａ９の二酸化塩素含有組成物については、二酸化塩素含有組成物３．８ｇを容量５０ｌの容器内に散布することにより、容器内で１〜２８ｐｐｍ程度の二酸化塩素を発生させる能力が認められた。
【００５４】
例Ａ１〜Ａ２の二酸化塩素含有組成物は、マスクなどの通気性シートに塗布することにより、花粉などのアレルギー誘発物質、ウイルス、病原菌などの有害物質の拡散吸入の防止するとともにそれらの有害物質の活性を抑制するのに好適である。
【００５５】
例Ａ３〜Ａ９の二酸化塩素含有組成物は、花粉などのアレルギー誘発物質を含む物質に塗布することにより、または、花粉などのアレルギー誘発物質、ウイルス、病原菌を含む空間内に塗布または散布することにより、花粉などのアレルギー誘発物質、ウイルス、病原菌などの有害物質の飛散または拡散を防止または抑制するとともに、それらの有害物質の活性を抑制するのに好適である。
【００５６】
［実施例Ｂ］
例Ｂ１として、スギの実６．４ｇ（詳細には、０．０８ｇのスギの実８０個）に対して、上記実施例Ａの例Ａ３の二酸化塩素含有組成物１．５２ｇをスプレー塗布（詳細には、二酸化塩素含有組成物０．７６ｇを２回スプレー塗布）する処理をした。図１は二酸化塩素含有組成物による処理前のスギの実を示す写真であり、図２は二酸化塩素含有組成物による処理後のスギの実を示す写真である。図１に示すように処理前のスギの実は表面が暗茶色であったが、図２に示すように処理後のスギの実は表面が明茶色であり表面が二酸化塩素含有組成物により被覆されていた。
【００５７】
次に、処理前および処理後のスギの実のそれぞれから、処理前および処理後のスギ花粉を採取し、走査型電子顕微鏡により観察した。図３は処理前のスギ花粉を示す走査型電子顕微鏡写真であり、図４は処理後のスギ花粉を示す走査型電子顕微鏡写真である。図３に示す処理前のスギ花粉は表面が粗く付着物が多くみられたのに対し、図４に示す処理後のスギ花粉は表面が二酸化塩素含有組成物により被覆され表面が滑らかになっていた。すなわち、二酸化塩素含有組成物は、スギ花粉の表面に添着することにより、スギ花粉の活性を抑制するものと考えられる。
【００５８】
例Ｂ２として、ヒノキ花粉０．５ｇに対して、上記実施例Ａの例Ａ３の二酸化塩素含有組成物０．７６ｇをスプレー塗布する処理をした。図５は、処理前および処理後のヒノキ花粉の写真である。図５の左側の粉末は、処理前のヒノキ花粉を示しており、表面が空気中の酸素により酸化されて茶色となっていた。図５の右側の粉末は処理後のヒノキ花粉を示しており、表面が二酸化塩素により漂白されて白色となっていた。処理後のヒノキ花粉は、表面が二酸化塩素含有組成物により被覆されていたため、空気中に置かれても表面の白色が保持された。
【００５９】
次に、処理前および処理後のヒノキ花粉を走査型電子顕微鏡により観察した。図６は処理前のヒノキ花粉を示す走査型電子顕微鏡写真であり、図７は処理後のヒノキ花粉を示す走査型電子顕微鏡写真である。図６に示す処理前のヒノキ花粉は表面が粗く付着物が多くみられたのに対し、図７に示す処理後のヒノキ花粉は表面が二酸化塩素含有組成物により被覆され表面が滑らかになっていた。すなわち、二酸化塩素含有組成物は、ヒノキ花粉の表面に添着することにより、ヒノキ花粉の活性を抑制するものと考えられる。
【００６０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図１】
2014024733.tif 000003
【図２】
2014024733.tif 000004
【図３】
2014024733.tif 000005
【図４】
2014024733.tif 000006
【図５】
2014024733.tif 000007
【図６】
2014024733.tif 000008
【図７】
2014024733.tif 000009